(57)【特許請求の範囲】
【請求項１】
端子を抜け止めするリテーナであって、
前記端子に接続された電線が前後方向に挿通される複数の挿通溝を有し、前記端子を後方から係止可能なリテーナ本体と、
前記リテーナ本体とは別体で前記リテーナ本体に後方から組付可能に設けられ、前記電線が固定可能な電線固定部材とを備え、
前記複数の挿通溝は、前記リテーナ本体における一側外周縁から他側外周縁に向けて延びる一側の挿通溝と、前記他側外周縁から前記一側外周縁に向けて延びる他側の挿通溝と、を備えて構成され、
前記電線固定部材は、一対の取付凹部と、一対の取付凹部を連結する連結部と、を有し、
前記連結部は、前記リテーナ本体における前記一側の挿通溝と前記他側の挿通溝との間に配されており、
前記リテーナ本体には、前記電線固定部材に設けられた複数の嵌合部とそれぞれ嵌合可能な誤組防止部が前後方向に延びて設けられており、
前記複数の誤組防止部のうちの少なくとも一つは、他の前記誤組防止部よりも前後方向の長さ寸法が長く設定されており、前記リテーナ本体に対して前記電線固定部材が正規の組付姿勢とは異なる不正な組付姿勢で組み付けられた場合には、前記嵌合部と前後方向に当接して正規の嵌合状態に至らないリテーナ。
【請求項２】
前記リテーナ本体には、前記一対の取付凹部が後方から嵌合される一対の取付部が前後方向に延びた形態で設けられており、
前記取付部には、前記取付部の後面に開口するねじ止め孔が前後方向に延びて設けられており、
前記取付凹部の後壁には、前後方向に貫通するねじ孔が設けられており、このねじ孔に固定ねじを挿通し、前記取付部の前記ねじ止め孔に締め込むことで前記取付凹部が前記取付部にねじ固定される、請求項１に記載のリテーナ。
【請求項３】
前記誤組防止部は、前記取付部の外周面で、かつ前記一対の取付部の中間点を中心として点対称の位置にリブ状に一対設けられており、
前記嵌合部は、前記一対の誤組防止部と対応するように前記取付凹部の壁面にスリット状に一対設けられている請求項２に記載のリテーナ。
【請求項４】
前記電線固定部材には、前記連結部から延出され、前記電線が固定される固定部が設けられており、
前記一対の誤組防止部は、前記一対の取付部における互いに反対側の外側端面に設けられている請求項２または請求項３に記載のリテーナ。
【請求項５】
前記固定部は、前記連結部の中央部から斜め方向に向かって延出された形態とされ、前記固定部と前記電線が結束部材により一括して束ねられて固定される、請求項４に記載のリテーナ。
【発明の詳細な説明】
【技術分野】
【０００１】
本明細書によって開示される技術は、リテーナに関する。
【背景技術】
【０００２】
例えば、車両のバッテリ装置を充電する充電用コネクタが嵌合される車両側コネクタとして、特開２０１５−２１６０９０号公報（下記特許文献１）に記載のものが知られている。この車両側コネクタは、ハウジング内に後方から収容された車両側端子がさらに後方から装着されたリテーナによって後方に抜け止めされて保持されている。また、車両側端子に接続された電線は、ハウジングから後方に引き出され、リテーナに設けられた電線固定部に結束バンドによって固定されている。
【先行技術文献】
【特許文献】
【０００３】
【特許文献１】特開２０１５−２１６０９０号公報
【発明の概要】
【発明が解決しようとする課題】
【０００４】
ところで、ハウジングから後方に引き出される電線は、その引き出し方向が車種毎に異なるため、上記のような車両側コネクタによると、電線の引き出し方向が異なる度に、電線固定部材の位置を変更したリテーナを起工する必要がある。
【０００５】
このため、端子を抜け止めするリテーナ本体に対して電線固定部を別部材として設け、車種毎に電線固定部を交換することで、リテーナ本体を変更せずに電線の引き出し方向を自由に設定する方法が検討されている。
【０００６】
ところが、例えば、電線固定部材が左右対称に近い形状の場合には、リテーナに電線固定部材を組み付ける際に、上下反転させるなど正規の組付姿勢とは異なる不正な組付姿勢で電線固定部材がリテーナ本体に組み付けられる虞があり、電線固定部材が不正な組付姿勢で固定された場合には、電線の引き出し方向が意図しない方向に引き出されたり、電線固定部材を固定し直したりする必要がある。
【０００７】
本明細書では、リテーナに対して電線固定部材が不正な組付姿勢で固定されることを防ぐ技術を開示する。
【課題を解決するための手段】
【０００８】
本明細書によって開示される技術は、端子を抜け止めするリテーナであって、前記端子を後方から係止可能なリテーナ本体と、前記リテーナ本体とは別体で前記リテーナ本体に後方から組付可能に設けられ、前記端子に接続された電線が固定可能な電線固定部材とを備え、前記リテーナ本体には、前記電線固定部材に設けられた複数の嵌合部とそれぞれ嵌合可能な誤組防止部が前後方向に延びて設けられており、前記複数の誤組防止部のうちの少なくとも一つは、他の前記誤組防止部よりも前後方向の長さ寸法が長く設定されており、前記リテーナ本体に対して前記電線固定部材が正規の組付姿勢とは異なる不正な組付姿勢で組み付けられた場合には、前記嵌合部と前後方向に当接して正規の嵌合状態に至らない構成とした。
【０００９】
このような構成のリテーナによると、リテーナに対して電線固定部材を不正な組付姿勢で組み付けようとした場合に、複数の誤組防止部のうちの少なくとも１つの誤組防止部が嵌合部と当接して、誤組防止部と嵌合部とが正規の嵌合状態に至らず、リテーナに対して電線固定部が傾くなど正規の姿勢で組み付けられなくなる。これにより、リテーナに対して電線固定部が不正な組付姿勢で固定されることを防ぐことができる。すなわち、電線固定部材を固定し直したり、電線の引き出し方向が意図しない方向に引き出されたりすることを防ぐことができる。
【００１０】
本明細書によって開示されるリテーナは、以下の構成としてもよい。
【００１１】
前記リテーナ本体には、前記電線固定部材に設けられた一対の取付凹部が後方から嵌合される一対の取付部が前後方向に延びた形態で設けられており、前記誤組防止部は、前記取付部の外周面で、かつ前記一対の取付部の中間点を中心として点対称の位置にリブ状に一対設けられており、前記嵌合部は、前記一対の誤組防止部と対応するように前記取付凹部の壁面にスリット状に一対設けられている構成としてもよい。
【００１２】
このような構成によると、前後方向に長さの異なる誤組防止部および嵌合部をそれぞれ一対設けるだけで、電線固定部が不正な組付姿勢で組み付けられることを防ぐことができる。
【００１３】
前記電線固定部材には、前記一対の取付凹部を互いに連結する連結部と、前記連結部から延出され、前記電線が固定される固定部とが設けられており、前記一対の誤組防止部は、前記一対の取付部における互いに反対側の外側端面に設けられている構成としてもよい。
【００１４】
このような構成によると、固定部に電線を固定する際に、固定部から最も離れた位置に誤組防止部が配されることになるから、電線や電線を固定する結束部材などが誤組防止部に引っ掛かることを防ぐことができる。
【発明の効果】
【００１５】
本明細書によって開示される技術によれば、リテーナに対して電線固定部材が不正な組付姿勢で固定されることを防ぐことができる。
【図面の簡単な説明】
【００１６】
【図１】リテーナの斜視図
【図２】同背面図
【図３】同下面図
【図４】図２のＡ−Ａ線断面図
【図５】リテーナの分解斜視図
【図６】リテーナを端子付き電線に組み付けた状態を示す側面図
【図７】リテーナ本体の背面図
【図８】同下面図
【図９】電線固定部材の正面図
【図１０】リテーナ本体に電線固定部材を不正な組付姿勢で組み付けた状態を示す背面図
【図１１】図１０のＢ−Ｂ線断面図
【発明を実施するための形態】
【００１７】
＜実施形態＞
本明細書に開示された技術における一実施形態について図１から図１１を参照して説明する。
【００１８】
本実形態は、図６に示すように、車両に搭載される図示しないバッテリ装置に接続される車両側コネクタのハウジングＨに装着され、ハウジングＨ内に収容される複数の車両側端子Ｔを一括して抜け止めするリテーナ１０を示している。なお、以下の説明において、上下方向とは、図２および図６における上下方向を基準とし、左右方向とは、図２における左右方向を基準とする。また、前後方向とは、図６における左右方向を基準として、図示右側を前側、図示左側を前側として説明する。
【００１９】
車両側端子Ｔは、図６に示すように、前後方向に延びる細長い円柱状の接続部Ｔ１と、接続部Ｔ１の後方において円板状に設けられたフランジ部Ｔ２と、フランジ部Ｔ２の後方に設けられた図示しない電線接続部とを備えて構成されており、電線接続部が電線Ｗの端末において露出された芯線に接続されている。
【００２０】
リテーナ１０は、図１から図５に示すように、ハウジングＨの後部に固定されるリテーナ本体１１と、リテーナ本体１１に後方から組付可能な電線固定部材３０とを備えて構成されている。
【００２１】
リテーナ本体１１は、図１、図２および図５に示すように、背面視略円形平板状の背面板１２の外周縁から複数の係止片１３が前方に延出した形態とされている。
【００２２】
背面板１２には、車両側端子Ｔに接続された電線Ｗが前後方向に挿通される複数の挿通溝１４が背面板１２を前後方向に貫通して設けられている。
【００２３】
複数の挿通溝１４は、背面板１２の上側外周縁１２Ｕに３つ、下側外周縁１２Ｄに２つの合計５つ設けられており、各挿通溝１４は、背面板１２の上側外周縁１２Ｕまたは下側外周縁１２Ｄに開口した形態で上下方向に延びて形成されている。また、各挿通溝１４の上下方向の長さ寸法は、背面板１２の上側外周縁１２Ｕまたは下側外周縁１２Ｄから背面板１２の上下方向略中央部までの長さ寸法よりもやや短い長さ寸法とされており、各挿通溝１４の奥側縁１４Ａは半円状に形成されている。
【００２４】
背面板１２における各挿通溝１４の奥側縁１４Ａの位置には、図１および図５に示すように、車両側端子Ｔのフランジ部Ｔ２を後方から係止可能な端子係止部１５が設けられている。端子係止部１５は、各挿通溝１４の奥側縁１４Ａの位置から前方に向かって延出された形態とされ、リテーナ本体１１がハウジングＨの後部に固定された際に、車両側端子Ｔのフランジ部Ｔ２の後面を後方から係止し、車両側端子Ｔの後方への抜け止めを図るようになっている。
【００２５】
したがって、図６に示すように、リテーナ本体１１の端子係止部１５と車両側端子Ｔのフランジ部Ｔ２とが前後方向に係止した状態になると、背面板１２の各挿通溝１４から電線Ｗが後方にそれぞれ引き出されるようになっている。
【００２６】
また、背面板１２の後面１２Ａには、図３から図８に示すように、電線固定部材３０が後方から取り付けられる一対の取付部１６が設けられている。
【００２７】
一対の取付部１６は、それぞれが背面板１２から後方に突出する略円筒状に形成されており、背面板１２の上下方向略中央部における左右方向両端部にそれぞれ配されている。
【００２８】
取付部１６の軸心には、図４および図５に示すように、取付部１６の後面に開口するねじ止め孔１７が前後方向に延びて設けられており、このねじ止め孔１７には、後述する固定ねじＢＴが後方から締め込まれるようになっている。
【００２９】
複数の係止片１３は、それぞれが径方向外側に向かって弾性変形可能であり、複数の係止片１３は、図１、図３および図５に示すように、背面板１２における挿通溝１４の左右方向両側の２つずつと、背面板１２の上端部の合計５箇所に設けられている。
【００３０】
各係止片１３には、背面板１２から前方に向かって延びる略矩形状に開口した係止孔１８が設けられている。この係止孔１８には、リテーナ本体１１がハウジングＨに固定された際に、ハウジングＨの図示しない係止突起が嵌まり込み、係止突起と係止片１３とが前後方向に係止することで、リテーナ本体１１がハウジングＨに保持され、リテーナ１０がハウジングＨに固定されるようになっている。
【００３１】
一方、電線固定部材３０は、図１から図５および図９に示すように、リテーナ本体１１とは別体であって、左右方向に横長な形態をなしており、リテーナ本体１１の一対の取付部１６に固定される取付凹部３１と、一対の取付凹部３１を左右方向に連結する連結部３２と、リテーナ本体１１の挿通溝１４から後方に引き出された複数の電線Ｗを一括して固定可能な固定部３３とを備えて構成されている。
【００３２】
一対の取付凹部３１は、図４および図５に示すように、リテーナ本体１１の取付部１６よりも一回り大きい略円筒状に形成されており、取付凹部３１内に取付部１６が嵌合可能とされている。そして、取付凹部３１と取付部１６とが正規の嵌合状態に至ると、取付部１６の後面１６Ａが取付凹部３１の後壁３４に当接する。
【００３３】
取付凹部３１の後壁３４には、前後方向に貫通するねじ孔３５が設けられており、このねじ孔３５に固定ねじＢＴを挿通し、リテーナ本体１１における取付部１６のねじ止め孔１７に締め込むことで取付凹部３１が取付部１６にねじ固定され、図４に示すように、電線固定部材３０がリテーナ本体１１に固定されるようになっている。
【００３４】
一対の取付凹部３１の後壁３４における互いに離れた側の外周縁には、後方に延出する保護壁３６が設けられている。各保護壁３６は、背面視円弧状をなしており、固定ねじＢＴが取付部１６に締め込まれた際に、固定ねじＢＴの外周面を覆うことで固定ねじＢＴに他の部材が当接することを防ぐことができるようになっている。
【００３５】
連結部３２は、図１、図２および図４に示すように、一対の取付凹部３１の後壁３４における互いに隣り合う内周縁部と一体となるように左右方向に長い形態とされており、連結部３２の後面は、各取付凹部３１の後壁３４の後面と面一状をなしている。また、連結部３２の上下方向の幅寸法は、リテーナ本体１１の背面板１２における上側の挿通溝１４と下側の挿通溝１４との間の長さ寸法とほぼ同じに設定されており、挿通溝１４から後方に引き出される各電線Ｗと連結部３２とが干渉しないように形成されている。
【００３６】
固定部３３は、図１から図６に示すように、連結部３２の左右方向略中央部から斜め上後方に向かって延出された形態とされている。
【００３７】
また、固定部３３は、左右方向に横長な略矩形平板状をなしており、固定部３３の上下面には、挿通溝１４から後方に引き出された各電線Ｗが配されるようになっている。
【００３８】
固定部３３の左右方向両側には、内側に向かって凹んだバンド溝３３Ａが設けられており、このバンド溝３３Ａには、固定部３３の上下面に配された各電線Ｗを一括して束ねる結束バンドなどの結束部材３３Ｂが引っ掛けられて固定されるようになっている。
【００３９】
したがって、本実施形態の電線固定部材３０は、前後から視ると、図２および図９に示すように、固定部以外の部分がほぼ左右対称となっている。
【００４０】
さて、リテーナ本体１１における一対の取付部１６の外周面には、図７および図８に示すように、前後方向に長さの異なるリブ状の誤組防止部１９がそれぞれ設けられており、電線固定部材３０における一対の取付凹部３１の外周面（「壁面」の一例）３１Ａには、図３から図６および図９に示すように、電線固定部材３０がリテーナ本体１１に対して正規の組付姿勢（固定部３３が斜め上後方に延びた姿勢）で組み付けられ、リテーナ本体１１の取付部１６に電線固定部材３０の取付凹部３１の後壁３４が当接した際に、誤組防止部１９が内部に適合して嵌合される前後方向に長いスリット状の嵌合凹部（「嵌合部」の一例）３７が誤組防止部１９と対応するようにそれぞれ設けられている。
【００４１】
各誤組防止部１９は、図７および図８に示すように、一対の取付部１６の外周面において互いに反対側となる左右方向の外側端面１６Ｂにそれぞれ配されており、背面板１２と取付部１６とに連なるように設けられている。つまり、各誤組防止部１９は、図７に示すように、取付部１６の外周面で、かつ一対の取付部１６の中間点を中心として点対称の位置に設けられており、リテーナ本体１１に対して電線固定部材３０を組み付ける際に、誤組防止部１９が電線固定部材３０の連結部３２などと干渉しない位置に配されている。
【００４２】
また、各誤組防止部１９は、後方に向かうほど左右方向に幅狭となる形態とされているものの、図８に示すように、右側の長尺誤組防止部１９Ｒの前後方向の長さ寸法Ｌ１は、左側の短尺誤組防止部１９Ｌの前後方向の長さ寸法Ｌ２よりも長く設定されている。
【００４３】
一方、嵌合凹部３７は、図３、図４および図９に示すように、一対の取付凹部３１の外周面３１Ａにおいて互いに反対側となる左右方向の外側端部３１Ｂにそれぞれ配されており、取付凹部３１を左右方向に貫通すると共に、取付凹部３１の前側開口端に開口した形態とされている。
【００４４】
また、各嵌合凹部３７は、図４に示すように、右側の長尺嵌合凹部３７Ｒの前後方向の深さ寸法Ｌ３は、左側の短尺嵌合凹部３７Ｌの前後方向の深さ寸法Ｌ４よりも長く設定されている。そして、電線固定部材３０がリテーナ本体１１に対して正規の組付姿勢で組み付けられ、リテーナ本体１１の取付部１６に電線固定部材３０の取付凹部３１の後壁３４が当接すると、長尺嵌合凹部３７Ｒ内に長尺誤組防止部１９Ｒが適合して嵌合された状態（長尺嵌合凹部３７Ｒの後側内壁３７Ｒ１と長尺誤組防止部１９Ｒの後端１９Ｒ１とが近接した状態）となる共に、短尺嵌合凹部３７Ｌ内に短尺誤組防止部１９Ｌが適合して嵌合された状態（短尺嵌合凹部３７Ｌの後側内壁３７Ｌ１と短尺誤組防止部１９Ｌの後端１９Ｌ１とが近接した状態）となる。
【００４５】
言い換えると、図３および図４に示すように、長尺嵌合凹部３７Ｒ内に長尺誤組防止部１９Ｒが適合して嵌合された状態となる共に、短尺嵌合凹部３７Ｌ内に短尺誤組防止部１９Ｌが適合して嵌合された状態となることで、リテーナ本体１１の取付部１６と電線固定部材３０の取付凹部３１とが正規の嵌合状態に至り、リテーナ本体１１に対して電線固定部材３０が上下左右方向に傾いた状態とならない正規の状態で固定される。
【００４６】
本実施形態は、以上のような構成であって、続いて、リテーナ１０の組み立て手順の一例を簡単に説明すると共に、リテーナ１０の作用および効果について説明する。
【００４７】
まず、リテーナ本体１１に対して電線固定部材３０を固定部３３が斜め上後方に延びた正規の組付姿勢で後方から組み付ける。
【００４８】
詳細には、リテーナ本体１１の一対の取付部１６を電線固定部材３０の取付凹部３１内に後方から嵌合させるようにして組み付ける。
【００４９】
ここで、取付凹部３１内に取付部１６が僅かに嵌合すると、取付部１６の誤組防止部１９が取付凹部３１の嵌合凹部３７内へ進入し、長尺嵌合凹部３７Ｒ内に長尺誤組防止部１９Ｒが適合して嵌合される共に、短尺嵌合凹部３７Ｌ内に短尺誤組防止部１９Ｌが適合して嵌合されることで、取付凹部３１と取付部１６とが正規の嵌合状態に至る。これにより、リテーナ本体１１に対して電線固定部材３０が正規の状態で組み付けられる。
【００５０】
そして、リテーナ本体１１に対して電線固定部材３０が正規の状態に組み付けられたところで、固定ねじＢＴを取付凹部３１のねじ孔３５に挿通し、取付部１６のねじ止め孔１７に締め込むことで取付凹部３１が取付部１６にねじ固定される。これにより、図３および図４に示すように、電線固定部材３０がリテーナ本体１１にねじ固定されたリテーナ１０が完成する。
【００５１】
ところで、本実施形態の電線固定部材３０は、固定部３３および嵌合凹部３７以外の部分が一対の取付凹部３１の中間点を中心に左右対称に構成されている。したがって、例えば、電線固定部材３０がリテーナ本体１１に対して上下反転した不正な組付姿勢で組み付けられ、リテーナ本体１１に電線固定部材３０がねじ固定されると、電線Ｗの引き出し方向が下方に設定されてしまったり、電線固定部材３０が不正な組付姿勢で組み付けられたことが後で判明することで、電線固定部材３０を固定し直さなければならなくなったりすることが懸念される。
【００５２】
ところが、本実施形態によると、図８に示すように、リテーナ本体１１の一対の誤組防止部１９のうち、一方（右方）の長尺誤組防止部１９Ｒが他方（左方）の短尺誤組防止部１９Ｌに比べて前後方向に長く設定されており、図４に示すように、電線固定部材３０の一対の嵌合凹部３７のうち、一方（右方）の長尺嵌合凹部３７Ｒが他方（左方）の短尺嵌合凹部３７Ｌに比べて前後方向に長く設定されている。したがって、リテーナ本体１１に対して、例えば、電線固定部材３０を上下反転させた不正な組付姿勢で組み付けようとすると、取付部１６の誤組防止部１９が取付凹部３１の嵌合凹部３７内へ進入し始めたところで、まず、一方（右方）の取付凹部３１の後壁３４に取付部１６が当接しない状態で短尺嵌合凹部３７Ｌの後側内壁３７Ｌ１に長尺誤組防止部１９Ｒが当接する。そして、その後、他方（左方）の取付部１６において短尺誤組防止部１９Ｌが長尺嵌合凹部３７Ｒに浅く嵌合された状態で取付部１６に取付凹部３１の後壁３４が当接し、図１０および図１１に示すように、電線固定部材３０の一方（右方）が後方、他方（左方）が前方となるように電線固定部材３０が前後方向に傾いた不正な状態でリテーナ本体１１に組み付けられる。
【００５３】
つまり、本実施形態によると、図１０および図１１に示すように、リテーナ本体１１に対する電線固定部材３０の組み付けにおいて、電線固定部材３０が前後方向に傾いた状態となることで、一対の取付部１６と一対の取付凹部３１とが正規の嵌合状態に至らず、リテーナ本体１１に対して、電線固定部材３０が不正な組付姿勢で組み付けられたことを検知することができる。
【００５４】
以上のように、本実施形態によると、リテーナ本体１１における一対の取付部１６の外周面に前後方向に長さの異なる誤組防止部１９をそれぞれ設けると共に、電線固定部材３０における一対の取付凹部３１に前後方向に長さの異なる嵌合凹部３７をそれぞれ設け、電線固定部材３０が不正な組付姿勢で組み付けられた際に、前後方向に長く設定された長尺誤組防止部１９Ｒと前後方向に短く設定された短尺嵌合凹部３７Ｌの後側内壁３７Ｌ１とを当接させる。これにより、一対の取付部１６と一対の取付凹部３１とが正規の嵌合状態に至らず、リテーナ本体１１に対して電線固定部材３０が前後方向に傾いた不正な状態で組み付けられることになり、リテーナ本体１１に電線固定部材３０がねじ固定される前に、電線固定部材３０がリテーナ本体１１に対して上下反転された不正な組付姿勢で組み付けられたことを容易に検知することができる。
【００５５】
すなわち、本実施形態によると、固定ねじＢＴによって電線固定部材３０をリテーナ本体１１に固定する前に、リテーナ本体１１に対して電線固定部材３０が不正な組付姿勢で組み付けられたことを検知することができるから、電線固定部材３０の固定し直し作業が生じたり、電線Ｗの引き出し方向が意図しない方向に設定されたりすることを防ぐことができる。
【００５６】
また、本実施形態によると、一対の誤組防止部１９の前後方向の長さが異なるように設定すると共に、一対の嵌合凹部３７の前後方向の長さを異なるように設定するだけで、電線固定部材３０が不正な組付姿勢で組み付けられることを防ぐことができるから、例えば、それぞれの取付部や取付凹部に複数の誤組防止部や嵌合凹部を設けることにより、誤組防止を行う場合に比べて、取付部１６や取付凹部３１の構造が複雑になることを防ぐことができる。
【００５７】
また、本実施形態によると、誤組防止部１９が、取付部１６の外周面において、固定部３３から最も離れた取付部１６の外側端面１６Ｂに設けられているから、固定部３３に電線Ｗや結束部材３３Ｂなどを固定する場合に、誤組防止部１９に引っ掛かって邪魔になることを防ぐことができる。
【００５８】
＜他の実施形態＞
本明細書で開示される技術は上記記述及び図面によって説明した実施形態に限定されるものではなく、例えば次のような種々の態様も含まれる。
【００５９】
（１）上記実施形態では、電線固定部材３０において固定部３３が連結部３２から斜め上後方に延出された構成にした。しかしながら、これに限らず、固定部は、連結部から斜め下後方に延出された構成にしてもよい。
【００６０】
（２）上記実施形態では、一対の取付部１６は、背面板１２の上下方向略中央部に設けられた構成とした。しかしながら、これに限らず、一対の取付部は、リテーナ本体の上部や下部に設けられた構成にしてもよい。
【００６１】
（３）上記実施形態では、一対の誤組防止部１９が一対の取付部１６において互いに反対側となる外側端面１６Ｂに設けられ、一対の嵌合凹部３７が一対の取付凹部３１において互いに反対側となる外側端部３１Ｂに設けられた構成とした。しかしながら、これに限らず、一対の誤組防止部は、一対の取付部の中間点を中心として点対称となる位置に設けられていればよく、誤組防止部を一方の取付部の上端と他方の取付部の下端とにそれぞれ設け、嵌合凹部を一方の取付凹部の上端と他方の取付凹部の下端とにそれぞれ設けた構成にしてもよい。
【符号の説明】
【００６２】
１０：リテーナ
１１：リテーナ本体
１６：取付部
１６Ｂ：外側端面
１９：誤組防止部
３０：電線固定部材
３１：取付凹部
３１Ａ：外周面（「壁面」の一例）
３２：連結部
３３：固定部
３７：嵌合凹部（「嵌合部」の一例）
Ｔ：車両側端子（「端子」の一例）
Ｗ：電線
【図１】
0006610956.tif 000002
【図２】
0006610956.tif 000003
【図３】
0006610956.tif 000004
【図４】
0006610956.tif 000005
【図５】
0006610956.tif 000006
【図６】
0006610956.tif 000007
【図７】
0006610956.tif 000008
【図８】
0006610956.tif 000009
【図９】
0006610956.tif 000010
【図１０】
0006610956.tif 000011
【図１１】
0006610956.tif 000012